(57)【要約】 【課題】クリック音を発生させることができ、さらにがたつきを防止することができるヒンジ装置およびこのヒンジ装置を有する携帯電話を提供すること。【解決手段】このヒンジ装置１は、軸線上に隣接して配置され、前記軸線を回転軸Ｌとして相対的に回転可能に設けられた第一筐体１１および第二筐体１２と、第一筐体１１内に、第一筐体１１に対し相対的に回転可能となる隙間をもって配置された第一ヒンジ部１３と、第一筐体１１内に固定され、第一筐体１１に対し、相対的に回転不能とされた第二ヒンジ部１４と、第二筐体１２内に配置され、回転軸Ｌに沿って第二ヒンジ部１４を第一筐体１１側に付勢する第二ヒンジ部付勢部１６と、第一筐体１１および第二筐体１２を相対的に所定角度回転駆動した際に、第一筐体１１内の第一ヒンジ部１３を第一筐体１１に対し回転駆動する回転駆動部とを有する。第一ヒンジ部１３は、前記回転駆動部により回転駆動された際に、第一筐体１１内面に当接する当接部を有する【選択図】図２
2008248985.tif 000002
【特許請求の範囲】
【請求項１】
軸線上に隣接して配置され、前記軸線を回転軸として相対的に回転可能に設けられた第一筐体および第二筐体と、
前記第一筐体内に、前記第一筐体に対し相対的に回転可能となる隙間をもって配置された第一ヒンジ部と、
前記第一筐体内に固定され、前記第一筐体に対し、相対的に回転不能とされた第二ヒンジ部と、
前記第二筐体内に配置され、前記回転軸に沿って前記第二ヒンジ部を前記第一筐体側に付勢する第二ヒンジ部付勢部と、
前記第一筐体および第二筐体を相対的に所定角度回転駆動した際に、前記第一筐体内の前記第一ヒンジ部を前記第一筐体に対し回転駆動する回転駆動部とを有し、
前記第一ヒンジ部は、前記回転駆動部により回転駆動された際に、前記第一筐体内面に当接する当接部を有するヒンジ装置。
【請求項２】
請求項１に記載のヒンジ装置において、
前記回転駆動部は、前記第二筐体内に配置され、前記回転軸に沿って前記第一ヒンジ部を前記第一筐体側に付勢する第一ヒンジ部付勢部と、
前記第一ヒンジ部付勢部に対し、前記第一ヒンジ部付勢部からの付勢力に反する力を加え、前記第一ヒンジ部付勢部に反力を生じさせる反力発生部とを備え、
前記反力発生部によって前記第一ヒンジ部付勢部に生じた反力により、前記第一ヒンジ部を前記第一筐体に対し回転駆動するヒンジ装置。
【請求項３】
請求項２に記載のヒンジ装置において、
前記第一ヒンジ部付勢部と、前記第一ヒンジ部との間には、前記第二筐体に固定されるとともに、前記第一ヒンジ部と係合可能な第一係合部が設けられ、
前記反力発生部は、前記第一ヒンジ部と前記第一係合部とを含んで構成され、前記第一ヒンジ部と前記第一係合部とを非係合状態とすることで、前記第一ヒンジ部付勢部に反力を発生させ、
前記第一ヒンジ部付勢部に生じた前記反力により、前記第一ヒンジ部を前記第一筐体に対し回転駆動すると同時に前記第一ヒンジ部と第一係合部とを係合させるヒンジ装置。
【請求項４】
請求項３に記載のヒンジ装置において、
前記第一筐体および前記第二筐体は、一対の部材それぞれに設けられ、
当該ヒンジ装置は、前記一対の部材を相対的に回動させて、前記一対の部材を開閉するものであり、
前記反力発生部は、前記第一ヒンジ部に形成されるとともに、前記第一筐体および前記第二筐体を前記所定角度よりも小さい一定の角度まで相対的に回転駆動した際に、前記第一筐体に係止される係止部を含んで構成され、
前記一対の部材の閉時および開時には、前記第一ヒンジ部に形成された凸部または凹部と、前記第一係合部に形成された凹部または凸部とが係合するヒンジ装置。
【請求項５】
請求項４に記載のヒンジ装置において、
前記凸部の前記第一ヒンジ部の回転方向に沿った断面は、前記凸部先端に向かって幅寸法が狭まるテーパ形状であり、
前記凹部の前記第一ヒンジ部の回転方向に沿った断面は、前記凹部底部に向かって幅寸法が狭まるテーパ形状であるヒンジ装置。
【請求項６】
請求項３乃至５のいずれかに記載のヒンジ装置において、
前記第二ヒンジ部付勢部と、前記第二ヒンジ部との間には、前記第二ヒンジ部と係合する第二係合部が配置され、
前記第一ヒンジ部および前記第二ヒンジ部のうちいずれか一方をリング状とし、いずれか他方を先端が前記リング状の一方の前記ヒンジ部の孔に挿入される挿入部を備えるものとし、
前記第一係合部および前記第二係合部のうち前記リング状の一方のヒンジ部と係合する一方の係合部をリング状に形成するとともに、他方の係合部を一方のリング状の前記係合部の孔に挿入するヒンジ装置。
【請求項７】
請求項６に記載のヒンジ装置において、
前記第一ヒンジ部付勢部および前記第二ヒンジ部付勢部のうちいずれか一方は、前記第一係合部および前記第二係合部のうち一方のリング状の係合部を介して、前記第一ヒンジ部および前記第二ヒンジ部のうちいずれか一方のリング状のヒンジ部を付勢する大径のばねであり、
前記第一ヒンジ部付勢部および前記第二ヒンジ部付勢部のうちいずれか他方は、前記第一係合部および前記第二係合部のうちいずれか他方の係合部を介して、前記第一ヒンジ部および前記第二ヒンジ部のうちいずれか他方のヒンジ部を付勢する小径のばねであり、
前記小径のばねは、前記大径のばねの内側に配置されているヒンジ装置。
【請求項８】
請求項１ないし７のいずれかに記載のヒンジ装置を有する携帯電話。
【発明の詳細な説明】
【技術分野】
【０００１】
本発明は、ヒンジ装置および携帯電話に関する。
【背景技術】
【０００２】
従来、携帯電話等の電子機器の小型化が進んでおり、これに伴い折りたたみ式の携帯電話等が普及している。折りたたみ式の携帯電話等には、ヒンジ装置が組み込まれており、一対のケースが回動自在に構成されている。
図１４に、ヒンジ装置８を示す（特許文献１参照）。
このヒンジ装置８は、固定体８１と、固定体８１に対し回転可能に配置された可動体８２と、コイル状の一対のばね８３，８４とを有する。
固定体８１には、側面に固定カム８５が設けられ、可動体８２には、固定カム８５との対向面に可動カム８６が設けられている。可動カム８６は、ばね８３，８４により固定カム８５に弾接している。携帯電話を閉じた状態においては、可動カム８６の先端が固定カム８５の傾斜部８５Ａに弾接している。携帯電話を開くと、可動体８２が回転し、可動カム８６の先端が固定カム８５の突出部８５Ｂを超えて、固定カム８５の傾斜部８５Ｃに接触することとなる。
【０００３】
また、図１５に他の構造のヒンジ装置９を示す（特許文献２参照）。
このヒンジ装置９は、ヒンジ軸９１を介して連結された第一ヒンジ部材９２、第二ヒンジ部材９３と、打撃部材９４と、可動部材９５と、可動部材９５を打撃部材９４側に付勢する付勢手段９６とを備える。
第二ヒンジ部材９３は、第一ヒンジ部材９２に対し回転可能に設けられている。可動部材９５には、打撃部材９４の凸部９４Ａと反対側の面に形成された凹部９４Ｂに挿入される球体９７が設けられている。
また、図１６から図１８に示すように、第二ヒンジ部材９３には打撃部材９４の凸部９４Ａが挿入される凹部９３Ａが形成されており、凹部９３Ａの幅は、凸部９４Ａの幅よりも大きくなっている。
このようなヒンジ装置９では、図１６に示すように、携帯電話が折りたたんである状態においては、球体９７が打撃部材９４の凹部９４Ｂの斜面９４Ｂ１に突き当たっている。
携帯電話を開くと、図１７に示すように、球体９７が打撃部材９４の凹部９４Ｂの対向面９４Ｂ２に接触することとなる。打撃部材９４は、球体９７からの力により、打撃部材９４の凸部９４Ａが第二ヒンジ部材９３の凹部９３Ａ中を高速で移動することとなる。図１８に示すように、打撃部材９４の凸部９４Ａが第二ヒンジ部材９３の凹部９３Ａに衝突することでクリック音が発生する。
【０００４】
【特許文献１】特開２００６−４６５８３号公報
【特許文献２】特開２００７−１６８１３号公報
【発明の開示】
【発明が解決しようとする課題】
【０００５】
携帯電話等の電子機器を開閉する際に「カチッ」といういわゆるクリック音がすると、操作性がよいと評価するユーザが多い。特許文献１の技術ではクリック音を発生させることができず、ユーザに操作性がよいとの印象を与えることが難しい。
一方、特許文献２の技術では、クリック音が発生するため、ユーザに操作性がよいとの印象を与えることが可能となる。
しかしながら、以下のような課題が生じる。
打撃部材９４の凸部９４Ａと、第二ヒンジ部材９３の凹部９３Ａとの間に隙間が形成されている。そのため、例えば、特許文献２のヒンジ装置９を携帯電話に使用した場合、開閉時に、表示部と、操作部との間でがたつきが生じてしまう。
【課題を解決するための手段】
【０００６】
本発明によれば、軸線上に隣接して配置され、前記軸線を回転軸として相対的に回転可能に設けられた第一筐体および第二筐体と、
前記第一筐体内に、前記第一筐体に対し相対的に回転可能となる隙間をもって配置された第一ヒンジ部と、前記第一筐体内に固定され、前記第一筐体に対し、相対的に回転不能とされた第二ヒンジ部と、前記第二筐体内に配置され、前記回転軸に沿って前記第二ヒンジ部を前記第一筐体側に付勢する第二ヒンジ部付勢部と、前記第一筐体および第二筐体を相対的に所定角度回転駆動した際に、前記第一筐体内の前記第一ヒンジ部を前記第一筐体に対し回転駆動する回転駆動部とを有し、前記第一ヒンジ部は、前記回転駆動部により回転駆動された際に、前記第一筐体内面に当接する当接部を有するヒンジ装置が提供される。
【０００７】
このような本発明によれば、第一筐体内には、第一筐体に対し相対的に回転可能となる隙間をもって第一ヒンジ部が配置されている。また、ヒンジ装置は、第一筐体および第二筐体を相対的に所定角度回転駆動した際に、第一筐体内の第一ヒンジ部を第一筐体に対し回転駆動する回転駆動部を有している。第一ヒンジ部は回転駆動部により回転駆動された際に、第一筐体内面に当接する当接部を有しているため、例えば、第一筐体を第二筐体に対し所定角度回転させた場合には、当接部が第一筐体に当接し、クリック音が発生することとなる。
【０００８】
また、本発明では、第一筐体内に配置された第二ヒンジ部は、第二筐体内に配置された第二ヒンジ部付勢部により付勢されている。そして、第一筐体内に配置された第二ヒンジ部は第一筐体に固定されているため、例えば、第一筐体を第二筐体に対して回転させても、第二ヒンジ部は、第二ヒンジ部付勢部により第一筐体側に付勢されながら第一筐体とともに一体的に駆動することとなる。これにより第一筐体、第二筐体間のがたつきを防止することができる。
以上より、本発明によれば、クリック音を発生させることができ、さらに第一筐体、第二筐体間のがたつきを防止することができる。
【発明の効果】
【０００９】
本発明によれば、クリック音を発生させることができ、さらにがたつきを防止することができるヒンジ装置およびこのヒンジ装置を有する携帯電話を提供することができる。
【発明を実施するための最良の形態】
【００１０】
以下、本発明の実施形態を図面に基づいて説明する。
まず、本実施形態のヒンジ装置の概要について説明する。
図１および図２に示すように、ヒンジ装置１は、携帯電話２のヒンジ部分を構成するものであり、一対の部材（ケース２２，２３）を相対的に回動させ、一対の部材（ケース２２，２３）を開閉するものである。図２は、図１に示されている一対の第一筐体１１のうち、右側の第一筐体１１と、第二筐体１２とを備えて構成されるヒンジ装置１の断面図である。
このヒンジ装置１は、軸線上に隣接して配置され、前記軸線を回転軸Ｌとして相対的に回転可能に設けられた第一筐体１１および第二筐体１２と、第一筐体１１内に、第一筐体１１に対し相対的に回転可能となる隙間をもって配置された第一ヒンジ部１３と、第一筐体１１内に固定され、第一筐体１１に対し、相対的に回転不能とされた第二ヒンジ部１４と、第二筐体１２内に配置され、回転軸Ｌに沿って第二ヒンジ部１４を第一筐体１１側に付勢する第二ヒンジ部付勢部１６と、第一筐体１１および第二筐体１２を相対的に所定角度回転駆動した際に、第一筐体１１内の第一ヒンジ部１３を第一筐体１１に対し回転駆動する回転駆動部とを有する。
第一ヒンジ部１３は、前記回転駆動部により回転駆動された際に、第一筐体１１内面に当接する当接部１３５を有する（図４参照）。
【００１１】
次に、図１から図１３を参照して、ヒンジ装置１について詳細に説明する。
図１に示すように、ヒンジ装置１の第一筐体１１は、携帯電話２の表示部２１側のケース２２と一体的に構成されている。
図２に示すように、この第一筐体１１は、有底の円筒形状であり、第二筐体１２側に向かって開口している。第一筐体１１の内面には、径の異なる第一の孔１１１，第二の孔１１２，第三の孔１１３が階段状に形成されている。第二筐体１２側に位置する第一の孔１１１の径は、隣接する第二の孔１１２の径よりも大きく、第二の孔１１２の径は、隣接する第三の孔１１３の径よりも大きい。各孔１１１，１１２，１１３は扁平形状である。図５に示すように、第二の孔１１２の内面は、対向する一対の平坦部１１２Ａと、この平坦部１１２Ａを結ぶ一対の円弧部１１２Ｂとにより構成されている。
同様に、図７に示すように第三の孔１１３の内面も対向する一対の平坦部１１３Ａと、この一対の平坦部１１３Ａを結ぶ一対の円弧部１１３Ｂとにより形成されている。
なお、円弧部１１２Ｂ，１１３Ｂは、回転軸Ｌを中心とした円弧である。また、一対の平坦部１１２Ａ間の寸法、一対の平坦部１１３Ａ間の寸法は、それぞれ回転軸Ｌを通る一対の円弧部１１２Ｂ間の寸法、一対の円弧部１１３Ｂ間の寸法よりも小さい。
なお、図５は、図２のＢ−Ｂ方向の断面図であり、図７は図２のＣ−Ｃ方向の断面図である。
【００１２】
第一ヒンジ部１３は、図２に示すように、第一筐体１１の第二の孔１１２内に収容されている。この第一ヒンジ部１３は、図３および図４（ａ）の平面図に示すように、中心部に円形状の孔が形成され、リング状に構成されている。
第一ヒンジ部１３の平面形状について詳細に説明すると、第一ヒンジ部１３は扁平形状であり、この第一ヒンジ部１３は、対向する一対の平坦部１３２と、この平坦部１３２を結ぶ円弧部１３１とを有する。円弧部１３１は、回転軸Ｌを中心とした円弧である。一対の平坦部１３２間の寸法は、回転軸Ｌを通る一対の円弧部１３１間の寸法よりも小さい。
第一ヒンジ部１３を第一筐体１１の第二の孔１１２内に収容すると、図５に示すように、第二の孔１１２の平坦部１１２Ａと、第一ヒンジ部１３の平坦部１３２との間、第二の孔１１２の円弧部１１２Ｂと、第一ヒンジ部１３の円弧部１３１との間には隙間が形成される。この隙間により、第一ヒンジ部１３および第一筐体１１が相対的に回転可能となっている。
【００１３】
また、第一ヒンジ部１３の平坦部１３２と円弧部１３１とで形成される４つの角部のうち、第一ヒンジ部１３の回転中心（本実施形態では、回転軸Ｌが回転中心となる）を通り対向する一方の一対の角部が前述した当接部１３５となる。また、第一ヒンジ部１３の回転中心を通り対向する他の一対の角部は、第一筐体１１の第二の孔１１２内面に係止される係止部１３４となる。係止部１３４の機能については、詳しくは後述する。
【００１４】
さらに、図３および図４（ａ）、（ｂ）に示すように、第一ヒンジ部１３には、第二の孔１１２に収容した際に、第二筐体１２側に突出する一対の凸部１３３が形成されている。なお、図４（ｂ）は、図４（ａ）のＤ−Ｄ方向の断面図である。一対の凸部１３３は第一ヒンジ部１３の円弧部１３１側に形成されており、一対の凸部１３３は第一筐体１１と第二筐体１２の回転軸Ｌを挟んで１８０°離れた位置に対向配置されている。また、一対の凸部１３３は、第一筐体１１，第二筐体１２の回転軸Ｌを中心とした円周上に配置されている。
さらに、凸部１３３の平面形状は、第一ヒンジ部１３の回転中心に向かって幅寸法が狭まる略台形形状である。
また、凸部１３３を構成する面のうち、第一ヒンジ部１３の回転方向に略直交するとともに、対向配置された一対の側面は、傾斜面となっており、一対の側面間の寸法は、凸部１３３先端側に向かって狭くなっている（図１２，１３参照）。すなわち、凸部１３３の第一ヒンジ部１３の回転方向に沿った断面は、凸部１３３先端に向かって幅寸法が狭まるテーパ形状であるといえる。
【００１５】
図２および図３に示すように、第二ヒンジ部１４は、先端がリング状の第一ヒンジ部１３の孔内に挿入される挿入部１４１と、挿入部１４１の基端側に設けられたフランジ部１４２とを有する。
図３、図６（ａ）、（ｂ）に示すように、挿入部１４１は円筒状であり、先端に一対の凸部１４１Ａが形成されている。この凸部１４１Ａの平面形状は、回転軸Ｌに向かって幅寸法が狭まる形状となっており、本実施形態では、平面略扇形形状となっている。この扇形状の頂点が対向するように凸部１４１Ａは１８０°向かい合って配置されている。
このような一対の凸部１４１Ａは、第一筐体１１，第二筐体１２の回転軸Ｌを中心とした円周上に配置されている。
凸部１４１Ａを構成する面のうち、第一筐体１１および第二筐体１２の回転方向に略直交するとともに、対向配置された一対の側面は、傾斜面となっており、一対の側面間の寸法は、凸部１４１Ａ先端側に向かって狭くなっている（図１１参照）。すなわち、凸部１４１Ａの第一筐体１１および第二筐体１２の回転方向に沿った断面は、凸部１４１Ａ先端に向かって幅寸法が狭まるテーパ形状であるといえる。
なお、図６（ａ）は、第二ヒンジ部１４の平面図であり、図６（ｂ）は、図６（ａ）のＥ−Ｅ方向の断面図である。
【００１６】
フランジ部１４２は、第一筐体１１の第三の孔１１３に挿入される。このフランジ部１４２は、扁平形状であり、対向する一対の平坦部１４２Ａと、この平坦部１４２Ａ間を結ぶ一対の円弧部１４２Ｂとを有している。円弧部１４２Ｂは、回転軸Ｌを中心とした円弧である。一対の平坦部１４２Ａ間の寸法は、回転軸Ｌを通る一対の円弧部１４２Ｂ間の寸法よりも小さい。
フランジ部１４２を第一筐体１１の第三の孔１１３に挿入すると、図７に示すように、フランジ部１４２の円弧部１４２Ｂと第三の孔１１３の円弧部１１３Ｂとの間に隙間が形成されるが、フランジ部１４２の平坦部１４２Ａと、第三の孔１１３の平坦部１１３Ａとが接する。これにより、第二ヒンジ部１４が第一筐体１１に固定されることとなる。従って、第二ヒンジ部１４は、第一筐体１１と一体的に駆動し、相対的に回転不能となっている。
【００１７】
再度、図１に示すように、ヒンジ装置１の第二筐体１２は、携帯電話２の通話部（キーボード２４側）のケース２３と一体的に構成されている。
図２に示すように、第二筐体１２は、中空の筒形状であり、第一筐体１１側に向かって開口している。図８に示すように、第二筐体１２の内面は、対向する一対の平坦部１２１と、平坦部１２１間を結ぶ一対の円弧部１２２とを有する。なお、図８は、図２のＡ−Ａ方向の断面図である。
図２に示すように、この第二筐体１２内部には、第一ヒンジ部１３を第一筐体１１および第二筐体１２の回転軸Ｌに沿って第一筐体１１側に付勢する第一ヒンジ部付勢部１５と、第二ヒンジ部１４を第一筐体１１および第二筐体１２の回転軸Ｌに沿って第一筐体１１側に付勢する第二ヒンジ部付勢部１６とが配置される。
第一ヒンジ部付勢部１５，第二ヒンジ部付勢部１６はいずれもコイル状のばねであり、第一ヒンジ部付勢部１５は、第二ヒンジ部付勢部１６よりも径が大きいばねで構成されている。この第一ヒンジ部付勢部１５の内側に第二ヒンジ部付勢部１６が配置されている。
【００１８】
このような第一ヒンジ部付勢部１５と、第一ヒンジ部１３との間には、図２，３に示すように、第一ヒンジ部１３の凸部１３３と係合する第一係合部１７が配置されている。同様に、第二ヒンジ部付勢部１６と第二ヒンジ部１４との間にも、第二ヒンジ部１４の凸部１４１Ａと係合する第二係合部１８が配置されている。
第一係合部１７は、図３，９（ａ）、（ｂ）に示すように、第一ヒンジ部１３と同様、リング状に構成されている。なお、図９（ａ）は、第一係合部１７の平面図であり、図９（ｂ）は、図９（ａ）のＦ−Ｆ方向の断面図である。
この第一係合部１７の平面形状は、第一ヒンジ部１３の平面形状と同様である。この第一係合部１７の第一ヒンジ部１３側の面には、一対の凹部１７１が形成されている。この凹部１７１には、第一ヒンジ部１３の凸部１３３が係合するため、凹部１７１は、第一ヒンジ部１３の凸部１３３に応じて設けられている。具体的には、凹部１７１は、１８０°離れた位置に対向配置されている。また、一対の凹部１７１は、第一筐体１１，第二筐体１２の回転軸Ｌを中心とした円周上に配置されている。
凹部１７１を構成する面のうち、第一ヒンジ部１３の回転方向に略直交するとともに、対向配置された一対の側面は、傾斜面であり、一対の側面間の幅寸法は、第一ヒンジ部１３側に向かって広がっている。すなわち、凹部１７１の第一ヒンジ部１３の回転方向に沿った断面は、凹部１７１底部に向かって幅寸法が狭まるテーパ形状である
また、第一係合部１７の凹部１７１は、凹部１７１底部よりも、第一ヒンジ部１３側に突出した一対の突出部１７２により挟まれている。
【００１９】
図３，図１０（ａ）、（ｂ）に示すように、第二係合部１８は、円筒形状であり、第二ヒンジ部１４側の面に、一対の凹部１８１が形成されている。なお、図１０（ａ）は、第二係合部１８の平面図であり、図１０（ｂ）は、図１０（ａ）のＧ−Ｇ方向の断面図である。
凹部１８１は１８０°向かい合って配置されている。一対の凹部１８１は、第一筐体１１，第二筐体１２の回転軸Ｌを中心とした円周上に配置されている。
凹部１８１を構成する面のうち、第一筐体１１および第二筐体１２の回転方向に略直交するとともに、対向配置された一対の側面は、傾斜面となっており、一対の側面間の寸法は、凹部１８１底部側に向かって狭くなっている（図１２，１３参照）。すなわち、凹部１８１の第一筐体１１および第二筐体１２の回転方向に沿った断面は、凹部１８１底部に向かって幅寸法が狭まるテーパ形状であるといえる。
このような凹部１８１には、凸部１４１Ａが係合する。
また、第二係合部１８の一対の凹部１８１は、凹部１８１底部よりも第二ヒンジ部１４側に突出した一対の突出部１８２に挟まれている。
【００２０】
以上のような第一ヒンジ部付勢部１５，第二ヒンジ部付勢部１６，第一係合部１７，第二係合部１８は、図２，３に示すように、筒状のケース１９内に収納されている。このケース１９は、第一筐体１１側に開口した有底の筒である。このケース１９は、図８に示すように、第二筐体１２に固定されている。より詳細に説明すると、ケース１９を構成する外周面は、対向する一対の平坦部１９１と、この平坦部１９１間を結ぶ一対の円弧部１９２とから構成されている。円弧部１９２は、回転軸Ｌを中心とした円弧である。一対の平坦部１９１間の寸法は、回転軸Ｌを通る一対の円弧部１９２間の寸法よりも小さい。
第二筐体１２にケース１９を挿入すると、第二筐体１２の円弧部１２２と、ケース１９の円弧部１９２との間には隙間が生じるものの、第二筐体１２の平坦部１２１と、ケース１９の平坦部１９１とは接することとなる。これにより、ケース１９が第二筐体１２に固定されることとなる。
第一ヒンジ部付勢部１５、第二ヒンジ部付勢部１６は、以上のようなケース１９の底部に固定されている。
従って、第二筐体１２を第一筐体１１に回転させると、ケース１９、ケース１９内部に収容された第一ヒンジ部付勢部１５，第二ヒンジ部付勢部１６，第一係合部１７，第二係合部１８は、第二筐体１２とともに回転駆動することとなる。
【００２１】
次に、回転駆動部について説明する。
この回転駆動部は、前述したように、第一筐体１１および第二筐体１２を相対的に所定角度回転駆動した際に、第一筐体１１内の第一ヒンジ部１３を前記第一筐体１１に対し回転駆動し、第一ヒンジ部１３の当接部１３５を第一筐体１１内面に当接させるものである。
この回転駆動部は、前述した第一ヒンジ部付勢部１５と、第一ヒンジ部付勢部１５に対し、第一ヒンジ部付勢部１５からの付勢力に反する力を加え、第一ヒンジ部付勢部１５に反力を生じさせる反力発生部とを備える。そして、反力発生部によって第一ヒンジ部付勢部１５に生じた反力により、第一ヒンジ部１３を第一筐体１１に対し回転駆動する。
ここで反力発生部は、第一ヒンジ部１３の係止部１３４と、凸部１３３と、第一係合部１７の突出部１７２とを含んで構成される。詳しくは後述するが、第一筐体１１および第二筐体１２を相対的に回転させると、第一ヒンジ部１３の係止部１３４が第一筐体１１の内面に係止される。さらに、第一筐体１１および第二筐体１２を相対的に回転させると、第一筐体１１と第一ヒンジ部１３とが一体となって、第二筐体１２に対し相対的に回転することとなる。このとき、第一ヒンジ部１３の凸部１３３が、第一係合部１７の突出部１７２を第一ヒンジ部付勢部１５側に押すこととなり、第一ヒンジ部付勢部１５には、反力が生じることとなる。
【００２２】
なお、以上では、図１の右側の第一筐体１１を備えるヒンジ装置１について説明したが、図１の左側の第一筐体１１と第二筐体１２とによっても、他のヒンジ装置が構成されている。
すなわち、図１左側の第一筐体１１内には、第一ヒンジ部１３、第二ヒンジ部１４が収納されており、また、第二筐体１２の図１左側の端部内には、ケース１９、ケース１９内部に収容された第一ヒンジ部付勢部１５，第二ヒンジ部付勢部１６，第一係合部１７，第二係合部１８が収納されている。
【００２３】
次に、図１１〜図１３を参照して、携帯電話２の開閉操作について説明する。
ユーザが通話やメールなどの機能を使用するために携帯電話２を開く際、通話部（キーボード２４側）のケース２３を手で握って固定しながら、表示部２１側のケース２２を開く。
この時、通話部側のケース２３は固定されているため、ヒンジ装置１の第二筐体１２、第二筐体１２内部のケース１９、ケース１９内部の第一ヒンジ部付勢部１５，第二ヒンジ部付勢部１６，第一係合部１７，第二係合部１８は動かない。
一方、表示部２１側のケース２２を開くと、ケース２２と一体的に形成されているヒンジ装置１の第一筐体１１が回転する。
第一筐体１１内部の第二ヒンジ部１４は、第一筐体１１に固定されているため、第一筐体１１とともに回転駆動する。
【００２４】
図１１を参照して詳細に説明する。
図１１（ａ）、（ｂ）は、表示部２１側のケース２２を開く前の状態を示している。この状態では、第二ヒンジ部１４の凸部１４１Ａは、第二係合部１８の凹部１８１内に挿入され、係合している。
次に、ケース２２を開きはじめると、図１１（ｃ）に示すように、第一筐体１１とともに第二ヒンジ部１４が回転駆動する。このとき、図１１（ｄ）に示すように、第二ヒンジ部１４が回転駆動することで、第二ヒンジ部１４の凸部１４１Ａの傾斜した側面が第二係合部１８の凹部１８１の傾斜した側面上を摺動しはじめ、第二係合部１８の凹部１８１との係合が徐々に解除されていく。これにより、第二ヒンジ部付勢部１６に対し矢印方向の圧縮力が作用し始めることとなる。
【００２５】
さらに、ケース２２を開くと、図１１（ｅ）に示すように、第一筐体１１とともに第二ヒンジ部１４がさらに回転する。このとき、図１１（ｆ）に示すように、第二ヒンジ部１４が回転駆動することで、第二ヒンジ部１４の凸部１４１Ａと第二係合部１８の凹部１８１との係合は、完全に解除され、凸部１４１Ａは、第二係合部１８の突出部１８２と接することとなる。従って、これにより、第二ヒンジ部付勢部１６は、矢印方向に圧縮されることとなる。
さらに、ケース２２を回動させて、ケース２２を開ききった開状態とすると、第二ヒンジ部付勢部１６の圧縮が解除されると同時に第二ヒンジ部１４の凸部１４１Ａと第二係合部１８の凹部１８１とが係合することとなる。
【００２６】
一方、第一筐体１１内部の第一ヒンジ部１３は、第一筐体１１との間に隙間が形成されているので、ケース２２を開きはじめても、すぐには、第一筐体１１とともに回転しない。
図１２，１３を参照して、第一ヒンジ部１３の動きについて詳細に説明する。
図１２（ａ）、（ｂ）は、表示部２１側のケース２２を開く前の状態を示している。この状態では、第一ヒンジ部１３の凸部１３３は、第一係合部１７の凹部１７１内に挿入され、係合している。
次に、ケース２２を開きはじめると、第一筐体１１は回転駆動するものの、第一筐体１１と、第一ヒンジ部１３との間には隙間が形成されているため、第一ヒンジ部１３は回転しない。さらに、第一筐体１１が回転すると、図１２（ｃ）に示すように、第一ヒンジ部１３の係止部１３４が第一筐体１１の内面の平坦部１１２Ａに接触し、係止されることとなる。このとき、図１２（ｄ）に示すように、第一ヒンジ部１３の凸部１３３の傾斜した側面が、第一係合部１７の凹部１７１の傾斜した側面上を摺動し、第一ヒンジ部１３の凸部１３３が第一係合部１７の凹部１７１から徐々にはずれていくこととなる。そして、第一ヒンジ部付勢部１５に対し矢印方向に圧縮力が作用し始める。
【００２７】
さらに、ケース２２を開き、第一筐体１１を回転駆動すると、図１３（ａ）に示すように、第一筐体１１とともに第一筐体１１に係合している第一ヒンジ部１３が回転することとなる。このとき、図１３（ｂ）に示すように、第一ヒンジ部１３の凸部１３３と、第一係合部１７の凹部１７１との係合は完全に解除される。そして、第一ヒンジ部１３の凸部１３３は、第一係合部１７の凹部１７１と隣接する突出部１７２の上面に接触する。これにより、第一ヒンジ部付勢部１５に矢印方向の圧縮力が作用し、第一ヒンジ部付勢部１５に反力が生じる。
その後、ケース２２が開ききると、図１３（ｃ）、（ｄ）に示すように、第一ヒンジ部付勢部１５に生じた反力により、第一ヒンジ部１３が第一筐体１１に対して回転し、係止部１３４による係止が解除され、さらに、第一ヒンジ部１３の凸部１３３が第一係合部１７の凹部１７１に入り込み、凸部１３３と、凹部１７１とが係合する。このとき、凸部１３３が凹部１７１の傾斜した側面上を摺動し、凸部１３３が凹部１７１の傾斜した側面に誘導されるようにして、凸部１３３と凹部１７１とが係合する。
そして、第一ヒンジ部１３の当接部１３５が第一筐体１１の平坦部１１２Ａに接触し、「カチッ」というクリック音が発生することとなる。
【００２８】
ユーザが携帯電話を閉じる際においても同様の原理により、クリック音が発生することとなる。
ケース２２を閉じ始めると、第一ヒンジ部１３は回転せずに第一筐体１１のみがケース２２とともに、回転する。これにより、第一ヒンジ部１３の当接部１３５が、第一筐体１１の平坦部１１２Ａから離れることとなる。さらに、ケース２２を回転させると、第一ヒンジ部１３の係止部１３４が第一筐体１１の平坦部１１２Ａに係止され、第一ヒンジ部１３と第一筐体１１とが一体的に回転するようになる。このとき、第一ヒンジ部１３の凸部１３３と、第一係合部１７の凹部１７１との係合が解除される。
その後、さらにケース２２を回転させると、第一ヒンジ部付勢部１５に生じた反力により、第一ヒンジ部１３が第一筐体１１に対して回転し、係止部１３４による係止が解除される。そして、第一ヒンジ部１３の当接部１３５が第一筐体１１の平坦部１１２Ａに接触し、「カチッ」というクリック音が発生する。
なお、ユーザが表示部２１側のケース２２を手で握って固定し、通話部（キーボード２４側）のケース２３を開閉する場合においても、上述した原理と同様の原理で、クリック音を発生させることができる。
【００２９】
次に、本実施形態の作用効果について説明する。
第一ヒンジ部１３と、第一筐体１１との間には、相対的に回転可能となる隙間が形成されている。そして、第一筐体１１および第二筐体１２を相対的に所定角度回転駆動した際に、第一筐体１１内の第一ヒンジ部１３が第一筐体１１に対し回転駆動し、第一ヒンジ部１３の当接部１３５が第一筐体１１内面に当接する。これにより、クリック音を発生させることができる。
また、クリック音を発生させる際に、第一ヒンジ部付勢部１５を圧縮し、反力を生じさせ、この反力により、第一ヒンジ部１３を回転駆動しているので、第一ヒンジ部１３の当接部１３５を勢いよく、第一筐体１１内面に接触させることができる。これにより、クリック音を確実に発生させることができる。
【００３０】
また、第一筐体１１内に配置された第二ヒンジ部１４は、第二筐体１２内に配置された第二ヒンジ部付勢部１６により付勢されている。そして、第一筐体１１内に配置された第二ヒンジ部１４は第一筐体１１に固定されているため、第一筐体１１を第二筐体１２に対して回転させても、第二ヒンジ部付勢部１６により第一筐体１１側に付勢されながら第一筐体１１とともに一体的に駆動することとなる。これにより第一筐体１１、第二筐体１２間のがたつきを防止することができる。
以上より、本実施形態のヒンジ装置１は、クリック音を発生させることができ、さらに第一筐体１１、第二筐体間のがたつきを防止することができる。
【００３１】
さらに、本実施形態では、ヒンジ装置１は、第一ヒンジ部１３の凸部１３３と係合する凹部１７１が形成された第一係合部１７を有している。そして、この第一係合部１７は、第一ヒンジ部１３と第一ヒンジ部付勢部１５との間に配置されている。第一ヒンジ部１３の凸部１３３と、第一係合部１７の凹部１７１とが係合した状態の場合には、第一ヒンジ部付勢部１５に対し、圧縮方向に力が加わらない。しかしながら、第一ヒンジ部１３の凸部１３３と、第一係合部１７の凹部１７１との係合を解除し、第一ヒンジ部１３の凸部１３３が第一係合部１７の突出部１７２の上面に接触する非係合状態とすることで、第一ヒンジ部付勢部１５に対し、圧縮方向の力を容易かつ確実に加えることができる。これにより、第一ヒンジ部付勢部１５に対し、付勢力に反する力を発生させることができ、クリック音を確実に発生させることができる。
【００３２】
また、本実施形態では、第一ヒンジ部１３に第一筐体１１に係止される係止部１３４を形成している。第一ヒンジ部１３の係止部１３４が第一筐体１１に係止された状態においては、第一ヒンジ部１３と第一筐体１１とが、第二筐体１２に対し、一体的に回転駆動することとなる。そのため、第一筐体１１を第二筐体１２に対して回転させることで、第二筐体１２に固定されている第一係合部１７の凹部１７１と、第一筐体１１と一体的に駆動する第一ヒンジ部１３の凸部１３３との係合を容易に解除することができる。
これにより、第一ヒンジ部付勢部１５に対し、圧縮方向の力を確実に加えることができ、クリック音を確実に発生させることができる。
【００３３】
また、本実施形態では、第一ヒンジ部１３の凸部１３３を構成する面のうち、第一ヒンジ部１３の回転方向に略直交する一対の側面は、傾斜面となっており、一対の側面間の寸法は、凸部１３３先端側に向かって狭くなっている（凸部１３３の第一ヒンジ部１３の回転方向に沿った断面がテーパ形状となっている）。一方、第一係合部１７の凹部１７１を構成する面のうち、第一ヒンジ部１３の回転方向に略直交する一対の側面は、傾斜面となっており、一対の側面間の幅寸法は、第一ヒンジ部１３側に向かって広がっている（凹部１７１の第一ヒンジ部１３の回転方向に沿った断面がテーパ形状となっている）。
このように、凸部１３３の側面を傾斜面とし、この凸部１３３が係合する凹部１７１の側面も傾斜面とすることで、第一筐体１１の回転に伴い第一ヒンジ部１３が回転する際に、凸部１３３の側面を凹部１７１の側面に沿って移動させ、凸部１３３と凹部１７１との係合を容易に解除することができる。
また、凸部１３３の側面を傾斜面とし、この凸部１３３が係合する凹部１７１の側面も傾斜面とすることで、第一ヒンジ部付勢部１５に生じた反力を利用して、第一ヒンジ部１３を回転駆動し、凸部１３３と凹部１７１とを容易に係合させることができる。
【００３４】
また、ヒンジ装置１は、第二ヒンジ部１４の凸部１４１Ａと係合する凹部１８１が形成された第二係合部１８を有している。第二ヒンジ部１４の凸部１４１Ａと、第二係合部１８の凹部１８１とが係合した状態の場合には、第二ヒンジ部付勢部１６に対し、圧縮方向に力が及ばないが、第二ヒンジ部１４の凸部１４１Ａと、第二係合部１８の凹部１８１との係合を解除し、第二ヒンジ部１４の凸部１４１Ａが第二係合部１８の突出部１８２の上面に接触することで、第二ヒンジ部付勢部１６に対し、圧縮方向の力を加えることができ、付勢力に反する力が発生することとなる。これにより、第二ヒンジ部付勢部１６により第二ヒンジ部１４がより強い力で第一筐体１１側に付勢され、第二ヒンジ部１４が第一筐体１１内に確実に固定されることとなる。そのため、携帯電話２のケース２２，２３の開閉の途中段階における、第一筐体１１、第二筐体１２間でのがたつきの発生を確実に抑制することができる。
【００３５】
さらに、本実施形態では、第一ヒンジ部１３をリング状に形成し、第二ヒンジ部１４を第一ヒンジ部１３の孔に挿入される挿入部１４１と、フランジ部１４２とを備えるものとしている。このようにすることで、第一ヒンジ部１３，第二ヒンジ部１４の設置に場所をとらず、ヒンジ装置１の小型化を図ることができる。
同様に、リング状の第一係合部１７の孔内に、第二係合部１８を設置することで、ヒンジ装置１の小型化を図ることができる。
また、第一ヒンジ部付勢部１５の内側に第二ヒンジ部付勢部１６を設置することによっても、ヒンジ装置１の小型化を図ることができる。
【００３６】
さらに、本実施形態では、当接部１３５を第一筐体１１の平坦部１１２Ａに当接させて、クリック音を発生させているので、当接部１３５と平坦部１１２Ａとの間の隙間の距離を調整することでクリック音の音量の調整をすることができる。当接部１３５と平坦部１１２Ａとの間の隙間の距離を大きくした場合には、クリック音が大きくなり、当接部１３５と平坦部１１２Ａとの間の隙間の距離を小さくした場合には、クリック音が小さくなる。
なお、本実施形態では、第一筐体１１内に固定された第二ヒンジ部１４が第二筐体１２内に配置された第二ヒンジ部付勢部１６により第一筐体１１側に付勢されているので、当接部１３５と平坦部１１２Ａとの間の隙間の距離を調整しても、第一筐体１１、第二筐体１２間にがたつきが生じることを防止できる。
【００３７】
なお、本発明は前述の実施形態に限定されるものではなく、本発明の目的を達成できる範囲での変形、改良等は本発明に含まれるものである。
例えば、前記実施形態では、第一ヒンジ部１３に凸部１３３を形成し、第一係合部１７に凹部１７１を形成したが、これに限らず、第一ヒンジ部に凹部を形成し、第一係合部に凸部を形成してもよい。
同様に、第二ヒンジ部１４に凸部１４１Ａを形成し、第二係合部１８に凹部１８１を形成したが、第二ヒンジ部に凹部を形成し、第二係合部に凸部を設けてもよい。
さらに、第一ヒンジ部１３には、第一筐体１１と第二筐体１２の回転軸Ｌを中心とした円周上に１８０°離れた位置に一対の凸部１３３が形成されていたが、これに限らず、凸部の数は３つ以上であってもよい。第一筐体１１と第二筐体１２の回転軸Ｌを中心とした円周上に凸部を等間隔で複数形成すればよい。
また、第一ヒンジ部１３の凸部１３３、第二ヒンジ部１４の凸部１４１Ａはひとつであってもよい。
なお、第一係合部の凹部は、第一ヒンジ部の凸部にあわせて形成すればよい。
【００３８】
また、第一ヒンジ部１３をリング状とし、この第一ヒンジ部１３の孔内に第二ヒンジ部１４の挿入部１４１を挿入したが、第一ヒンジ部、第二ヒンジ部の形状、配置位置はこれに限られるものではない。
さらに、前記実施形態では、ヒンジ装置１を携帯電話に搭載したが、これに限らず、他の電子機器に搭載してもよい。例えば、デジタルカメラや、パーソナルコンピュータ等に搭載してもよい。
【図面の簡単な説明】
【００３９】
【図１】本発明の一実施形態にかかる携帯電話を示す斜視図である。
【図２】ヒンジ装置を示す断面図である。
【図３】ヒンジ装置の要部を示す分解斜視図である。
【図４】（ａ）は、ヒンジ装置の第一ヒンジ部を示す平面図であり、（ｂ）は、（ａ）のＤ−Ｄ方向の断面図である。
【図５】ヒンジ装置の要部を示す断面図である。
【図６】（ａ）は、ヒンジ装置の第二ヒンジ部を示す平面図であり、（ｂ）は、（ａ）のＥ−Ｅ方向の断面図である。
【図７】ヒンジ装置の要部を示す断面図である。
【図８】ヒンジ装置の要部を示す断面図である。
【図９】（ａ）は、ヒンジ装置の第一係合部を示す平面図であり、（ｂ）は、（ａ）のＦ−Ｆ方向の断面図である。
【図１０】（ａ）は、ヒンジ装置の第二係合部を示す平面図であり、（ｂ）は、（ａ）のＧ−Ｇ方向の断面図である。
【図１１】ヒンジ装置の第二ヒンジ部の駆動状態を示す図である。
【図１２】ヒンジ装置の第一ヒンジ部の駆動状態を示す図である。
【図１３】ヒンジ装置の第一ヒンジ部の駆動状態を示す図である。
【図１４】従来のヒンジ装置を示す断面図である。
【図１５】従来のヒンジ装置を示す断面図である。
【図１６】従来のヒンジ装置を示す断面図である。
【図１７】従来のヒンジ装置を示す断面図である。
【図１８】従来のヒンジ装置を示す断面図である。
【符号の説明】
【００４０】
１    ヒンジ装置
２    携帯電話
８    ヒンジ装置
９    ヒンジ装置
１１    第一筐体
１２    第二筐体
１３    第一ヒンジ部
１４    第二ヒンジ部
１５    第一ヒンジ部付勢部
１６    第二ヒンジ部付勢部
１７    第一係合部
１８    第二係合部
１９    ケース
２１    表示部
２２    ケース
２３    ケース
２４    キーボード
８１    固定体
８２    可動体
８５    固定カム
８５Ａ    傾斜部
８５Ｂ    突出部
８５Ｃ    傾斜部
８６    可動カム
９１    ヒンジ軸
９２    第一ヒンジ部材
９３    第二ヒンジ部材
９３Ａ    凹部
９４    打撃部材
９４Ａ    凸部
９４Ｂ    凹部
９４Ｂ１    斜面
９４Ｂ２    対向面
９５    可動部材
９６    付勢手段
９７    球体
１１１    第一の孔
１１２    第二の孔
１１２Ａ    平坦部
１１２Ｂ    円弧部
１１３    第三の孔
１１３Ａ    平坦部
１１３Ｂ    円弧部
１２１    平坦部
１２２    円弧部
１３１    円弧部
１３２    平坦部
１３３    凸部
１３４    係止部
１３５    当接部
１４１    挿入部
１４１Ａ    凸部
１４２    フランジ部
１４２Ａ    平坦部
１４２Ｂ    円弧部
１７１    凹部
１７２    突出部
１８１    凹部
１８２    突出部
１９１    平坦部
１９２    円弧部
Ｌ    回転軸
【図１】
2008248985.tif 000003
【図２】
2008248985.tif 000004
【図３】
2008248985.tif 000005
【図４】
2008248985.tif 000006
【図５】
2008248985.tif 000007
【図６】
2008248985.tif 000008
【図７】
2008248985.tif 000009
【図８】
2008248985.tif 000010
【図９】
2008248985.tif 000011
【図１０】
2008248985.tif 000012
【図１１】
2008248985.tif 000013
【図１２】
2008248985.tif 000014
【図１３】
2008248985.tif 000015
【図１４】
2008248985.tif 000016
【図１５】
2008248985.tif 000017
【図１６】
2008248985.tif 000018
【図１７】
2008248985.tif 000019
【図１８】
2008248985.tif 000020